(57)【要約】  エレベータの操作ボタンにおいて、押しボタン部と、押しボタン部を囲み、光透過性の材料で形成されるボタン枠と、押しボタン部の背面側に配置される光源とを有し、ボタン枠は、底部に、押しボタン部とは異なる色に着色された部位を有し、ボタン枠は、光源の点灯時には、光源の照射光を透過させ、ボタン枠は、光源の消灯時には、着色された部位の色を透過させる。これにより、低コストで、弱視者、高齢者などが容易に認識することの可能な、エレベータの操作ボタンを得る。
2019082375.tif 000002
【特許請求の範囲】
【請求項１】
押しボタン部と、
前記押しボタン部を囲み、光透過性の材料で形成されるボタン枠と、
前記押しボタン部の背面側に配置される光源とを有し、
前記ボタン枠は、底部に、前記押しボタン部とは異なる色に着色された部位を有し、
前記ボタン枠は、前記光源の点灯時には、前記光源の照射光を透過させ、
前記ボタン枠は、前記光源の消灯時には、前記着色された部位の色を透過させる、
エレベータの操作ボタン。
【請求項２】
前記ボタン枠は、底部に、前記ボタン枠の外周側上部から内周側下部に向けて傾斜する傾斜部を有し、
前記傾斜部は、前記着色された部位の少なくとも一部を形成し、
前記傾斜部は、前記光源の点灯時には、前記照射光を前記ボタン枠の正面側に反射させる、
請求項１に記載のエレベータの操作ボタン。
【請求項３】
前記傾斜部は、前記ボタン枠に設けられた切り欠きによって形成される、
請求項２に記載のエレベータの操作ボタン。
【請求項４】
前記傾斜部は、前記切り欠きの内側に、前記着色された部位を有する、
請求項３に記載のエレベータの操作ボタン。
【請求項５】
前記傾斜部は、前記切り欠きの内側に、前記押しボタン部とは異なる色に着色された材料を有する、
請求項３に記載のエレベータの操作ボタン。
【請求項６】
前記ボタン枠は、外周に、前記押しボタン部とは異なる色に着色された部位を有する、
請求項２から５のいずれか一項に記載のエレベータの操作ボタン。
【発明の詳細な説明】
【技術分野】
【０００１】
本発明は、例えばかご内の壁面、または乗場の壁面に設けられる、エレベータの操作ボタンに関する。
【背景技術】
【０００２】
従来、エレベータの操作パネルには、操作ボタンの外周とフェースプレートとの間に、光透過性の材料で形成された、ボタン枠としてのリング部材が配置されている。また、リング部材の裏側には、ＬＥＤなどの光源が配置されている。そして、光源を点灯及び消灯させることにより、操作ボタンの操作状態を利用者に報知している。【０００３】
このような操作ボタンでは、光源の消灯時に、リング部材自体の色及び質感が外観に表れてしまう。そこで、操作ボタンの意匠性を考慮して、光源の消灯時に、ボタンカバーの外周面の意匠が、リング部材の正面に表れるようにしたものがある（例えば特許文献１参照）。
【先行技術文献】
【特許文献】
【０００４】
【特許文献１】特許第５１３２８１６号公報
【発明の概要】
【発明が解決しようとする課題】
【０００５】
従来技術には、以下のような課題がある。
特許文献１の操作ボタンは、ボタンカバーを、フェースプレートと同様の金属材料で形成している。また、特許文献１の操作ボタンは、リング部材にプリズム形状を設けている。そして、特許文献１の操作ボタンは、光源の消灯時に、隣接するボタンカバーの外周面を、プリズム形状の反射面で反射させている。【０００６】
しかしながら、既存のエレベータには、ボタンカバーが透明な樹脂で形成されたものがある。このため、このような既存のエレベータに対して、特許文献１の技術を適用する場合には、リング部材の交換に加え、ボタンカバーの外周に、意匠性のある塗装、印刷などの加工を施すか、またはボタンカバーを金属製のものに交換する必要があり、改良に要するコストが課題となっていた。【０００７】
また、特許文献１では、フェースプレート及び操作ボタンと、リング部材の表面に表れる意匠とを統一している。このため、フェースプレートと操作ボタンとの境界が認識しにくく、特に弱視者にとっては、操作ボタンの位置がわかり難くなっていた。【０００８】
本発明は、上記のような課題を解決するためになされたものであり、低コストで、弱視者、高齢者などが容易に認識することの可能な、エレベータの操作ボタンを得るものである。
【課題を解決するための手段】
【０００９】
本発明に係るエレベータの操作ボタンは、押しボタン部と、押しボタン部を囲み、光透過性の材料で形成されるボタン枠と、押しボタン部の背面側に配置される光源とを有し、ボタン枠は、底部に、押しボタン部とは異なる色に着色された部位を有し、ボタン枠は、光源の点灯時には、光源の照射光を透過させ、ボタン枠は、光源の消灯時には、着色された部位の色を透過させる。
【発明の効果】
【００１０】
本発明のエレベータの操作ボタンは、押しボタン部の非発光時に、リング部材の表面に、押しボタン部と異なる色が見えるようにしている。これにより、弱視者、高齢者などが容易に認識可能な操作ボタンを得ることができる。
【図面の簡単な説明】
【００１１】
【図１】本発明の実施の形態１におけるエレベータの操作ボタンを配置した操作パネルを有する、エレベータかごを示す模式図である。
【図２】実施の形態１の操作ボタンが取付けられた操作パネルを示す図である。
【図３】図２のＩＩＩ−ＩＩＩ線に沿う、操作ボタンの断面図である。
【図４Ａ】図３の操作ボタンにおける、Ａ部の拡大図である。
【図４Ｂ】図４Ａのボタン押圧部が押された状態を示す図である。
【図５】実施の形態１の操作ボタンのリング部材を説明する図である。
【図６】実施の形態１の操作ボタンの第１変形例を示す図である。
【図７】実施の形態１の操作ボタンの第２変形例を示す図である。
【発明を実施するための形態】
【００１２】
以下、本発明のエレベータの操作ボタンの好適な実施の形態につき、図面を用いて説明する。
【００１３】
実施の形態１．
図１は、エレベータのかご室１００を示す概略斜視図である。図１に示すように、かご室１００の壁面１１０には、利用者が乗降するドア１２０が設けられている。ドア１２０が設けられた壁面１１０には、操作パネル１３０が取り付けられている。
【００１４】
図２は、操作パネル１３０の一例を示す図である。操作パネル１３０は、ドア１２０の開閉を行う一対の操作ボタン２０と、行き先階を設定する複数の操作ボタン３０とを有している。また、操作パネル１３０は、通話ボタン４０と、スピーカ５０と、表示部６０とを有している。
【００１５】
図３は、図２のＩＩＩ−ＩＩＩ線に沿う、ドア１２０の閉操作を行う操作ボタン２０の断面を示す図である。なお、ドア１２０の開操作を行う操作ボタン２０、及び複数の操作ボタン３０の構成は、ドア１２０の閉操作を行う操作ボタン２０と同様である。
【００１６】
フェースプレート１０は、例えばステンレス鋼板等の金属板で形成されている。操作ボタン２０は、フェースプレート１０の背面側に配置された支持体２３によって支持されている。操作ボタン２０は、支持体２３に対して変位可能な押しボタン部２１と、押しボタン部２１を囲むリング部材２２とによって形成されている。
【００１７】
押しボタン部２１の表面には、操作ボタン２０の機能を示す記号が形成された、ボタンカバー２１Ａが取り付けられている。押しボタン部２１は、半透明の材料で形成されている。また、ボタンカバー２１Ａは、記号以外の部分が透明な材料で形成されている。一方、リング部材２２は、無色透明な樹脂材料で形成されている。そして、ボタンカバー２１Ａの一部と、リング部材２２の一部は、フェースプレート１０に形成された孔から、かご室内に突出している。
【００１８】
押しボタン部２１の背面側には、押しボタン部２１が操作されることによる変位によって開閉動作する、図示しないスイッチが設けられている。また、押しボタン部２１の背面側の支持体２３には、例えばＬＥＤなどの光源２４が配置されている。
【００１９】
図４Ａ及び図４Ｂは、図３のＡ部を拡大して示した図である。図４Ａは、操作ボタン２０の押しボタン部２１が押されていない状態を示している。一方、図４Ｂは、操作ボタン２０の押しボタン部２１が押された状態を示している。
【００２０】
利用者が押しボタン部２１のボタンカバー２１Ａを指で押すと、押しボタン部２１は、図４Ａに矢印で示す方向に移動し、図４Ｂの状態となる。押しボタン部２１が移動すると、押しボタン部２１の背面側に配置された、図示しないスイッチが閉じる。
【００２１】
図示しないエレベータの制御装置は、スイッチが閉じることで、光源２４を点灯させる指令とともに、ドア１２０を閉じる指令を出力する。この結果、光源２４が点灯し、ドア１２０が閉じる。
【００２２】
光源２４は、押しボタン部２１の裏面及び周方向に光２４Ａを照射する。押しボタン部２１の裏面の方向に照射された光２４Ａ１は、半透明の材料を透過して、ボタンカバー２１Ａの全体を光らせる。また、押しボタン部２１の周方向に照射された光２４Ａ２は、押しボタン部２１の下方に形成された透光部２１Ｂを介して、リング部材２２に照射される。透光部２１Ｂは、無色透明な材料、または切り欠きによって形成されている。
【００２３】
リング部材２２は、切り欠き部２２Ａと、切り欠き部２２Ａによって形成される傾斜部２２Ｂとを有している。リング部材２２に照射された光２４Ａ２は、図４Ｂに示す矢印のように、傾斜部２２Ｂによって屈折され、操作ボタン２０の表側に照射される。これにより、押しボタン部２１が押し下げられたときには、押しボタン部２１とボタンカバー２１Ａの全体が淡く光るとともに、リング部材２２が光２４Ａ２の色に光ることになる。この結果、利用者に対して、操作ボタン２０が操作されたことを報知することができる。
【００２４】
利用者が押しボタン部２１から指を離すと、押しボタン部２１は、図示しない付勢装置によって、図４Ａの位置に戻る。すると、図示しないスイッチが開き、光源２４が消灯する。このとき、リング部材２２には、リング部材２２に形成された傾斜部２２Ｂが見える。
【００２５】
そこで、実施の形態１の操作ボタン２０では、図５に示すように、傾斜部２２Ｂを形成する切り欠き部２２Ａの内側に、塗装２５を施している。そして、光源２４の消灯時には、リング部材２２の色が、この塗装２５の色Ｃに見えるようにしている。よって、この塗装２５の色Ｃを、フェースプレート１０及び押しボタン部２１とは異なる色にすることにより、光源２４の消灯時に、リング部材２２を目立たせることができる。
【００２６】
このように、実施の形態１のエレベータの操作ボタン２０によれば、半透明な材料で形成された押しボタン部２１の裏面側に、光源２４を有している。また、押しボタン部２１の周囲に、無色透明な材料で形成されたリング部材２２を有している。そして、押しボタン部２１の押し下げ時に、光源２４の光２４Ａ２を、リング部材２２の切り欠き部２２Ａに形成された傾斜部２２Ｂで屈折させて、リング部材２２の表側に照射している。また、リング部材２２の切り欠き部２２Ａに塗装２５を施している。そして、押しボタン部２１を押し下げていないときに、リング部材２２の色が、塗装２５の色Ｃに見えるようにしている。
【００２７】
これにより、押しボタン部２１が押し下げられていない状態において、リング部材２２を目立たせることができる。よって、弱視者でも、操作ボタン２０の位置を容易に認識することが可能となる。
【００２８】
なお、実施の形態１では、リング部材２２の切り欠き部２２Ａの内側のみに、塗装２５を施していたが、塗装２５を施す位置は、これに限るものではない。例えば、図５の塗装２５に加え、図６の第１変形例に示すように、リング部材２２の内周側と外周側に塗装２６を施してもよい。これにより、リング部材２２を正面以外の角度から見た場合であっても、リング部材２２の塗装２６の色Ｃが見える。よって、リング部材２２を目立たせることができ、弱視者でも、操作ボタン２０の位置を容易に認識することが可能となる。
【００２９】
また、図７の第２変形例に示すように、切り欠き部２２Ａの内側に、塗装２５を施すことに代えて、切り欠き部２２Ａに、素材自体が色を有する着色材料２７を充填してもよい。この場合であっても、傾斜部２２Ｂによる、光２４Ａ２を屈折させる機能は維持される。そして、リング部材２２の色が着色材料２７の色Ｃに見えるようにすることができる。
【００３０】
リング部材２２の材料としては、透過光量の減衰が少ない、無色透明なものが最も好ましい。逆に、塗装２５,２６及び着色材料２７の素材は、光を透過しにくく、濃い色のものが好ましい。
【符号の説明】
【００３１】
１０  フェースプレート、２０，３０  操作ボタン、２１  押しボタン部、２１Ａ  ボタンカバー、２１Ｂ  透光部、２２  リング部材（ボタン枠）、２２Ａ  切り欠き部、２２Ｂ  傾斜部、２３  支持体、２４  光源、２４Ａ１，２４Ａ２  光（照射光）、２５，２６  塗装（着色）、２７  着色材料、４０  通話ボタン、５０  スピーカ、６０  表示部、１００  かご室、１１０  壁面、１２０  ドア、１３０  操作パネル。
【図１】
2019082375.tif 000003
【図２】
2019082375.tif 000004
【図３】
2019082375.tif 000005
【図４Ａ】
2019082375.tif 000006
【図４Ｂ】
2019082375.tif 000007
【図５】
2019082375.tif 000008
【図６】
2019082375.tif 000009
【図７】
2019082375.tif 000010
【国際調査報告】
2019082375.tif 000011
2019082375.tif 000012
2019082375.tif 000013
2019082375.tif 000014